(57)【要約】【課題】植物の生育を阻害することなく、高精度の植物の二酸化炭素吸収量を取得する二酸化炭素吸収量取得装置、二酸化炭素吸収量取得方法及びプログラムを提供する。【解決手段】重量測定部１０３が、複数の日に亘る期間内の複数の時点における植物の重量を測定する。重量取得部１０５は、重量測定部１０３が複数の時点において測定した重量の中から、互いに異なる日のそれぞれにおいて、植物の重量が極大となる時点で測定された重量を取得する。二酸化炭素吸収量取得部１０６は、重量取得部１０５が取得した重量の差分に基づいて、植物の二酸化炭素吸収量を取得する。【選択図】図２
2016029918.tif 000002
【特許請求の範囲】
【請求項１】
第１の時点と第２の時点とでそれぞれ測定された植物の重量を、二酸化炭素吸収量を取得するための重量として取得する重量取得部と、
前記重量取得部が取得した前記第１の時点で測定された重量と前記第２の時点で測定された重量との差分に基づいて、前記第１の時点から前記第２の時点までの植物の二酸化炭素吸収量を取得する二酸化炭素吸収量取得部と、
を備える二酸化炭素吸収量取得装置。
【請求項２】
複数の日に亘る期間内の複数の時点における植物の重量を測定する重量測定部を備え、
前記重量取得部は、前記重量測定部が前記複数の時点において測定した重量の中から、第１の日における前記第１の時点と、前記第１の日より後日の第２の日における前記第２の時点と、でそれぞれ測定された重量を、二酸化炭素吸収量を取得するための重量として取得し、
前記二酸化炭素吸収量取得部は、前記重量取得部が取得した前記第１の時点で測定された重量と前記第２の時点で測定された重量との差分に基づいて、前記第１の日から前記第２の日までの植物の二酸化炭素吸収量を取得する、
請求項１に記載の二酸化炭素吸収量取得装置。
【請求項３】
前記重量取得部は、前記重量測定部が前記複数の時点において測定した重量の中から、前記第１の日と前記第２の日とにおいて重量の変化の度合が合致する時点で測定された重量を、それぞれ前記第１の時点と前記第２の時点とで測定された植物の重量として取得する、
請求項２に記載の二酸化炭素吸収量取得装置。
【請求項４】
前記重量取得部は、前記重量測定部が前記複数の時点において測定した重量の中から、前記第１の日において重量が極大となる時点で測定された重量と、前記第２の日において重量が極大となる時点で測定された重量とを、それぞれ前記第１の時点と前記第２の時点とで測定された植物の重量として取得する、
請求項３に記載の二酸化炭素吸収量取得装置。
【請求項５】
前記重量取得部は、前記重量測定部が前記複数の時点において測定した重量の中から、前記第１の日と前記第２の日とにおいて同時刻で測定された重量を、それぞれ前記第１の時点と前記第２の時点とで測定された植物の重量として取得する、
請求項２に記載の二酸化炭素吸収量取得装置。
【請求項６】
前記二酸化炭素吸収量取得部が取得した二酸化炭素吸収量を、二酸化炭素の削減量の目標値と比較して表示する表示部、
を備える請求項１乃至５のいずれか１項に記載の二酸化炭素吸収量取得装置。
【請求項７】
第１の時点と第２の時点とでそれぞれ測定された植物の重量を、二酸化炭素吸収量を取得するための重量として取得し、
前記第１の時点で測定された植物の重量と前記第２の時点で測定された植物の重量との差分に基づいて、植物によるデンプン又はセルロースの生成重量を算出し、
前記デンプン又はセルロースの生成重量に基づいて、前記第１の時点から前記第２の時点までの植物の二酸化炭素吸収量を取得する、
二酸化炭素吸収量取得方法。
【請求項８】
第１の時点と第２の時点とでそれぞれ測定された植物の重量を、二酸化炭素吸収量を取得するための重量として取得し、
前記第１の時点で測定された植物の重量と前記第２の時点で測定された植物の重量との差分に基づいて、前記第１の時点において前記植物が保有する水及び水溶性肥料の重量と前記第２の時点において前記植物が保有する水及び水溶性肥料の重量との差分を排除しながら、前記第１の時点から前記第２の時点までの植物の二酸化炭素吸収量を取得する、
二酸化炭素吸収量取得方法。
【請求項９】
複数の日に亘る期間内の複数の時点における植物の重量を測定し、
前記複数の時点において測定した重量の中から、第１の時点と第２の時点とでそれぞれ測定された重量を、二酸化炭素吸収量を取得するための重量として取得し、
前記第１の時点で測定された重量と前記第２の時点で測定された重量との差分に基づいて、前記第１の時点から前記第２の時点までの植物の二酸化炭素吸収量を取得する、
二酸化炭素吸収量取得方法。
【請求項１０】
コンピュータに、
第１の時点と第２の時点とでそれぞれ測定された植物の重量を、二酸化炭素吸収量を取得するための重量として取得させ、
前記第１の時点で測定された重量と前記第２の時点で測定された重量との差分に基づいて、前記第１の時点から前記第２の時点までの植物の二酸化炭素吸収量を取得させる、
プログラム。
【発明の詳細な説明】
【技術分野】
【０００１】
本発明は、二酸化炭素吸収量取得装置、二酸化炭素吸収量取得方法及びプログラムに関する。
【背景技術】
【０００２】
植物の二酸化炭素吸収量を算出する技術が知られている。
【０００３】
例えば、特許文献１は、太陽電池が発電した発電電力量から日射強度を算出し、日射強度を植物の二酸化炭素吸収量に換算する環境測定装置を開示している。
【０００４】
また、密閉容器で囲われた植物の光合成部分近辺において二酸化炭素濃度を測定し、二酸化炭素濃度の変化度合から植物の二酸化炭素吸収量を算出する二酸化炭素吸収量算出方法が知られている。
【先行技術文献】
【特許文献】
【０００５】
【特許文献１】特開２０１０−１０７２７３号公報
【発明の概要】
【発明が解決しようとする課題】
【０００６】
しかしながら、日射強度から植物の二酸化炭素吸収量を換算する方法では、植物に照射された光が光合成にどの程度使用されたか分からないため、換算された二酸化炭素吸収量の精度は低くなってしまう。また、密閉容器内の二酸化炭素濃度の変化度合から植物の二酸化炭素吸収量を算出する方法では、算出された二酸化炭素吸収量の精度は上がるが、密閉容器内の二酸化炭素濃度が変動し、植物の生育が阻害されてしまう。
【０００７】
本発明は、以上のような課題を解決するためのものであり、植物の生育を阻害することなく、高精度の植物の二酸化炭素吸収量を取得する二酸化炭素吸収量取得装置、二酸化炭素吸収量取得方法及びプログラムを提供することを目的とする。
【課題を解決するための手段】
【０００８】
上記目的を達成するために、請求項１に記載の発明は、
第１の時点と第２の時点とでそれぞれ測定された植物の重量を、二酸化炭素吸収量を取得するための重量として取得する重量取得部と、
前記重量取得部が取得した前記第１の時点で測定された重量と前記第２の時点で測定された重量との差分に基づいて、前記第１の時点から前記第２の時点までの植物の二酸化炭素吸収量を取得する二酸化炭素吸収量取得部と、
を備える二酸化炭素吸収量取得装置を提供する。
【０００９】
上記目的を達成するために、請求項７に記載の発明は、
第１の時点と第２の時点とでそれぞれ測定された植物の重量を、二酸化炭素吸収量を取得するための重量として取得し、
前記第１の時点で測定された植物の重量と前記第２の時点で測定された植物の重量との差分に基づいて、植物によるデンプン又はセルロースの生成重量を算出し、
前記デンプン又はセルロースの生成重量に基づいて、前記第１の時点から前記第２の時点までの植物の二酸化炭素吸収量を取得する、
二酸化炭素吸収量取得方法を提供する。
【００１０】
上記目的を達成するために、請求項８に記載の発明は、
第１の時点と第２の時点とでそれぞれ測定された植物の重量を、二酸化炭素吸収量を取得するための重量として取得し、
前記第１の時点で測定された植物の重量と前記第２の時点で測定された植物の重量との差分に基づいて、前記第１の時点において前記植物が保有する水及び水溶性肥料の重量と前記第２の時点において前記植物が保有する水及び水溶性肥料の重量との差分を排除しながら、前記第１の時点から前記第２の時点までの植物の二酸化炭素吸収量を取得する、
二酸化炭素吸収量取得方法を提供する。
【００１１】
上記目的を達成するために、請求項９に記載の発明は、
複数の日に亘る期間内の複数の時点における植物の重量を測定し、
前記複数の時点において測定した重量の中から、第１の時点と第２の時点とでそれぞれ測定された重量を、二酸化炭素吸収量を取得するための重量として取得し、
前記第１の時点で測定された重量と前記第２の時点で測定された重量との差分に基づいて、前記第１の時点から前記第２の時点までの植物の二酸化炭素吸収量を取得する、
二酸化炭素吸収量取得方法を提供する。
【００１２】
上記目的を達成するために、請求項１０に記載の発明は、
コンピュータに、
第１の時点と第２の時点とでそれぞれ測定された植物の重量を、二酸化炭素吸収量を取得するための重量として取得させ、
前記第１の時点で測定された重量と前記第２の時点で測定された重量との差分に基づいて、前記第１の時点から前記第２の時点までの植物の二酸化炭素吸収量を取得させる、
プログラムを提供する。
【発明の効果】
【００１３】
本発明によれば、植物の生育を阻害することなく、高精度の植物の二酸化炭素吸収量を取得することができる。
【図面の簡単な説明】
【００１４】
【図１】本発明の実施形態に係る二酸化炭素吸収量取得装置の物理構成を示す図である。
【図２】本発明の実施形態に係る二酸化炭素吸収量取得装置の機能構成を示す図である。
【図３】植物の重量測定における植物、重量計等の配置を示す図である。
【図４】時間経過に伴う植物の重量とホルダの重量の合計の変動を示す図である。
【図５】本発明の実施形態に係る重量測定処理の流れを示すフローチャートである。
【図６】本発明の実施形態に係る二酸化炭素吸収量取得処理の流れを示すフローチャートである。
【図７】二酸化炭素削減量を削減目標値と比較して表示する表示装置を示す図である。
【図８】時間経過に伴う植物の重量とホルダの重量の合計の変動を示す図である。
【発明を実施するための形態】
【００１５】
以下、本発明の実施形態について、図面を参照して説明する。なお、図中同一又は相当する部分には同一符号を付す。
【００１６】
植物は、光合成を行うことで大気中の二酸化炭素を吸収し、デンプン（αグルコース）又はセルロース（βグルコース）を生成する。このとき、吸収された二酸化炭素と、生成されたデンプン又はセルロースと、の重量比の値は、一定値となる。従って、植物の二酸化炭素吸収量は、生成されたデンプン又はセルロースの重量と、二酸化炭素とデンプン又はセルロースとの重量比の値と、の乗算により算出される。しかしながら、生成されたデンプン又はセルロースの重量の正確な値を取得することは難しい。なぜなら、植物の重量は、デンプン又はセルロースの重量変動によってのみ変動するのではなく、植物が保有する水及び肥料等の重量変動によっても変動するからである。この点に関して、本実施形態に係る二酸化炭素吸収量取得装置１００は、水及び肥料等の重量変動による影響をなるべく抑えつつ、生成されたデンプン又はセルロースの重量から植物の二酸化炭素吸収量を取得する。以下、本実施形態に係る二酸化炭素吸収量取得装置１００の物理構成及び機能構成を説明する。
【００１７】
本実施形態に係る二酸化炭素吸収量取得装置１００は、物理的には図１に示すように構成される。二酸化炭素吸収量取得装置１００は、ＲＯＭ（Read Only Memory）１と、ＲＡＭ（Random Access Memory）２と、外部記憶装置３と、重量計４と、表示装置５と、ＲＴＣ（Real Time Clock）６と、入力装置７と、ＣＰＵ（Central Processing Unit）８と、を備える。
【００１８】
ＲＯＭ１は、各種初期設定、ハードウェアの検査、プログラムのロード等を行うための初期プログラムを記憶する。ＲＡＭ２は、ＣＰＵ８が実行する各種ソフトウェアプログラム、これらのソフトウェアプログラムの実行に必要なデータ等を一時的に記憶する。
【００１９】
外部記憶装置３は、例えば、ハードディスクであって、各種ソフトウェアプログラム、データ等を記憶する。これらソフトウェアプログラムの中には、アプリケーションソフトウェアプログラム、ＯＳ（Operating System）のような基本ソフトウェアプログラム等が含まれている。
【００２０】
重量計４は、例えば、電子式重量計（電子はかり）であって、重量測定用回路を備える。重量計４は、被重量測定物の重量を測定し、被重量測定物の重量を示す信号をＣＰＵ８に出力する。
【００２１】
表示装置５は、液晶ディスプレイ等の画面を備え、ＣＰＵ８によって出力されたテキストデータや画像データを画面に表示する。
【００２２】
ＲＴＣ６は、二酸化炭素吸収量取得装置１００に電力が供給されなくなっても動作し続けるクロックにより、現在時刻を計時する。また、ＲＴＣ６は、計時した現在時刻をＣＰＵ８に出力する。
【００２３】
入力装置７は、キーボード等を備える。入力装置７は、キーボードを介してユーザからの指示を受け付け、受け付けた指示をＣＰＵ８に出力する。なお、入力装置７は、マウス又はトラックパッドを備え、マウス、トラックパッドを介してユーザからの指示を受け付けてもよい。
【００２４】
ＣＰＵ８は、外部記憶装置３に記憶されたソフトウェアプログラムをＲＡＭ２に読み出して、そのソフトウェアプログラムを実行制御することにより、以下の機能構成を実現する。
【００２５】
二酸化炭素吸収量取得装置１００は、機能的には図２に示すように構成される。二酸化炭素吸収量取得装置１００は、入力部１０１、計時部１０２と、重量測定部１０３と、重量記憶部１０４と、重量取得部１０５と、二酸化炭素吸収量取得部１０６と、二酸化炭素吸収量記憶部１０７と、表示部１０８と、を備える。重量記憶部１０４と、二酸化炭素吸収量記憶部１０７と、は外部記憶装置３に構築されている。
【００２６】
入力部１０１は、入力装置７を介してユーザからの指示を受け付ける。例えば、入力部１０１は、植物の重量測定を実行する旨の指示又は植物の重量測定を終了する旨の指示を受け付ける。
【００２７】
計時部１０２は、ＲＴＣ６から現在時刻を取得し、現在時刻が示す時刻から経過した経過時間を計時する。
【００２８】
重量測定部１０３は、入力部１０１が植物の重量測定を実行する旨の指示を受け付けると、この指示に従って植物の重量測定を実行する。具体的には、重量測定部１０３は、定期的に、重量計４を制御して、被重量測定物の重量を測定する。例えば、重量測定部１０３は、計時部１０２が計時した経過時間に基づいて、前回の測定時刻（被重量測定物の重量を測定した時刻）から一定時間（例えば５分）経過したか否かを判別する。そして、重量測定部１０３は、一定時間経過したと判別した場合に、被重量測定物の重量を測定する。このようにして、重量測定部１０３は、一定時間経過するごとに、被重量測定物の重量を測定する。
本実施形態では、図３に示すように、重量計４の載置面には、植物と植物を支えるホルダとが載置されており、重量測定部１０３は、定期的に、植物の重量とホルダの重量との合計（以下、合計重量と言う。）を測定する。また、重量測定部１０３は、測定を行う度に、測定した合計重量を図２に示す重量記憶部１０４に記憶する。そして、重量測定部１０３は、入力部１０１が植物の重量測定を終了する旨の指示を受け付けると、この指示に従って植物の重量測定を終了する。
【００２９】
なお、図３に示すように、本実施形態において、重量計４は、重量計４の端部を支持部材によって支えられ、地面から距離Ｄ１の高さに設置されている。そして、重量計４と地面との間の空間に、水と水溶性肥料とを貯めたバットが配置されている。また、ホルダと重量計４には、植物の根をバット内部まで届かせるための孔が形成されており、植物の根は、形成された孔を通ってバット内部まで伸びている。そして、植物は、根から、バットに貯まった水と水溶性肥料を吸収する。
【００３０】
図２に戻り、重量記憶部１０４は、重量測定部１０３が測定した複数の日に亘る期間内の複数の時点における合計重量を記憶する。
【００３１】
重量取得部１０５は、重量記憶部１０４が記憶する複数の時点で測定された合計重量の中から、互いに異なる日のそれぞれにおいて、合計重量が極大となる時点で測定された合計重量を取得する。このようにして取得された合計重量の差分は、互いに異なる日のそれぞれにおいて、合計重量が極大となる時点間で植物が生成したデンプン又はセルロースの重量（植物によるデンプン又はセルロースの生成重量）に相当すると推測することができる。以下、その理由を、図３、４を参照しながら説明する。
【００３２】
植物は、成長過程において、水の吸収と放散、水溶性肥料の吸収と消費とを１日周期で繰り返している。また、植物は、光合成によるデンプン又はセルロースの生成と、呼吸によるデンプン又はセルロースの消費と、を１日周期で繰り返している。その結果、植物の重量は、１日を１周期として、周期的に変動する。例えば、図３に示す状態において、重量測定部１０３が、７月１日から７月６日まで合計重量（植物の重量とホルダの重量との合計）を測定したとする。この場合、合計重量は、図４のグラフが示すように、１日を１周期として、周期的に変動しながら、植物の成長に従って徐々に増加する。なお、このグラフの横軸は、重量測定部１０３が合計重量を測定した日（重量測定日）を表しており、７／１、７／２、７／３・・・はそれぞれ、重量測定日が７月１日、７月２日、７月３日・・・であることを表している。また、このグラフの縦軸は、重量測定部１０３が測定した合計重量［単位はｇ（グラム）］を表している。
【００３３】
このように周期的に変動する合計重量の測定結果から、所定期間中に生成されたデンプン又はセルロースの重量を精度よく算出するには、重量取得部１０５は、植物が保有する水と水溶性肥料の重量が同じ（又はほぼ同じ）時点でそれぞれ測定された合計重量の差分をとることにより、合計重量の差分に、水と水溶性肥料の重量の差分がなるべく含まれないようにしなければならない。そして、互いに異なる日のそれぞれにおいて、合計重量が極大となる時点においては、植物が保有する水と水溶性肥料の重量はほぼ同じあると見積もることができる。従って、互いに異なる日のそれぞれにおいて、合計重量が極大となる時点で測定された合計重量の差分は、これらの時点間で植物が生成したデンプン又はセルロースの重量に相当すると推測することができる。
【００３４】
例えば、重量取得部１０５が、７月１日の午前９時と同日の正午とでそれぞれ測定された合計重量を取得したとする。ここで、７月１日の午前９時に植物が保有する水と水溶性肥料の重量と同日の正午に植物が保有する水と水溶性肥料の重量とは合致しない。そのため、７月１日の午前９時と同日の正午とでそれぞれ測定された合計重量の差分は、７月１日の午前９時から同日の正午までに生成されたデンプン又はセルロースの重量に合致しない。
これに対して、例えば、７月１日において合計重量が極大となる時点で植物が保有する水と水溶性肥料の重量と、７月２日において合計重量が極大となる時点で植物が保有する水と水溶性肥料の重量と、はほぼ同じであると見積もることができる。そこで、７月１日において合計重量が極大となる時点で測定された合計重量（図４に示す点Ａにおける合計重量）と、７月２日において合計重量が極大となる時点で測定された合計重量（図４に示す点Ｂにおける合計重量）と、の差分（図４に示す差分ＡＢ）は、７月１日において合計重量が極大となる時点から７月２日において合計重量が極大となる時点までに生成されたデンプン又はセルロースの重量に相当すると推測することができる。
【００３５】
図２に戻り、二酸化炭素吸収量取得部１０６は、重量取得部１０５が取得した合計重量の差分に基づいて、互いに異なる日のそれぞれにおいて合計重量が極大となる時点間でおける植物の二酸化炭素吸収量を取得する。以下、合計重量の差分から二酸化炭素吸収量を取得する方法を説明する。
【００３６】
植物が光合成を行うと、以下の化学反応式で表される化学反応が起こる。
［化学反応式］
６ｎＣＯ２＋５ｎＨ２Ｏ→（Ｃ６Ｈ１０Ｏ５）ｎ＋６ｎＯ２
ここで、ｎは、１以上の整数を示す。また、（Ｃ６Ｈ１０Ｏ５）ｎは、デンプン（αグルコース）又はセルロース（βグルコース）を示す。デンプンとグルコースは、どちらも同じ化学式で表される。デンプンは、栄養として植物に蓄えられており、燃焼して植物が活動するためのエネルギーとなる。セルロースは、植物の細胞に変わる。
【００３７】
上述した化学反応式から、植物が光合成を行ったときの、植物の二酸化炭素吸収量と、植物が生成するデンプン又はセルロースと、の重量比が求まる。この重量比は、二酸化炭素（ＣＯ２）の分子量が４４であり、デンプン又はセルロースの分子量が１６２であるから、２６４（６×４４）：１６２→１．６３：１となる。このことは、植物の二酸化炭素吸収量が、植物が生成したデンプン又はセルロースの重量の１．６３倍であることを示している。
そこで、二酸化炭素吸収量取得部１０６は、重量取得部１０５が取得した合計重量の差分（互いに異なる日のそれぞれにおいて合計重量が極大となる時点間で生成されたデンプン又はセルロースの重量）に１．６３を乗じて、植物の二酸化炭素吸収量を取得する。
【００３８】
また、二酸化炭素吸収量取得部１０６は、取得した二酸化炭素吸収量を二酸化炭素吸収量記憶部１０７に記憶する。
【００３９】
二酸化炭素吸収量記憶部１０７は、二酸化炭素吸収量取得部１０６が取得した二酸化炭素吸収量を記憶する。
【００４０】
表示部１０８は、二酸化炭素吸収量記憶部１０７が記憶する二酸化炭素吸収量を、二酸化炭素の削減量の目標値と比較して、表示装置５が備える画面に表示する。
【００４１】
以上のような二酸化炭素吸収量取得装置１００が実行する重量測定処理と二酸化炭素吸収量取得処理の流れについて、図５、６に示すフローチャートを参照して説明する。
【００４２】
［重量測定処理］
ユーザが、図３に示すように、植物、重量計等を配置し、植物の重量測定の準備を整え、所定のタイミングで、植物の重量測定を実行する旨の指示を入力装置７に入力したとする。この場合、入力部１０１は、入力装置７を介して植物の重量測定を実行する旨の指示を受け付ける。そして、重量測定部１０３は、この指示に従って植物の重量測定を実行するために、図５に示す重量測定処理を開始する。
【００４３】
重量測定部１０３は、重量測定処理を開始すると、合計重量（植物の重量とホルダの重量との合計）を測定するタイミングか否かを判別する（ステップＳ１０）。このとき、重量測定部１０３は、重量測定処理が開始されてから１回目の重量測定の場合、無条件で、合計重量を測定するタイミングであると判別する（ステップＳ１０；Ｙｅｓ）。そして、重量測定部１０３は、合計重量を測定し、測定した合計重量を重量記憶部１０４に記憶する（ステップＳ１１）。
【００４４】
次に、重量測定部１０３は、重量測定処理を終了するか否かを判別する（ステップＳ１２）。そして、重量測定部１０３は、入力部１０１が植物の重量測定を終了する旨の指示を受け付けた場合、重量測定処理を終了すると判別し（ステップＳ１２；Ｙｅｓ）、指示に従って重量測定処理を終了する。一方、重量測定部１０３は、入力部１０１が植物の重量測定を終了する旨の指示を受け付けていない場合、重量測定処理を終了しないと判別し（ステップＳ１２；Ｎｏ）、ステップＳ１０の処理を実行する。
【００４５】
処理がステップＳ１０に戻ると、重量取得部１０３は、計時部１０２が計時した経過時間を取得し、取得した経過時間に基づいて、前回の重量測定から一定時間（例えば５分）経過したか否かを判別する。そして、重量測定部１０３は、一定時間経過したと判別した場合に、合計重量を測定するタイミングであると判別し（ステップＳ１０；Ｙｅｓ）、ステップＳ１１以降の処理を実行する。
また、重量測定部１０３は、ステップＳ１０において、前回の重量測定から一定時間経過していないと判別した場合、合計重量を測定するタイミングでないと判別する（ステップＳ１０；Ｎｏ）。この場合、重量測定部１０３は、合計重量を測定しないで、ステップＳ１２の処理を実行する。
このように、重量取得部１０３は、重量測定処理を終了するまで、定期的に、合計重量を測定する。
【００４６】
なお、ステップＳ１０において、重量測定部１０３は、重量測定処理が開始されてから１回目の重量測定の場合、無条件で、合計重量を測定するタイミングであると判別したが、所定の条件が満たされた場合に、合計重量を測定するタイミングであると判別してもよい。例えば、重量測定部１０３は、重量測定処理を開始してから一定時間（例えば５分）経過した場合に、合計重量を測定してもよい。
また、ステップＳ１１において、重量測定部１０３は、合計重量からホルダの重量を引いた重量を、植物の重量として重量記憶部１０４に記憶してもよい。
【００４７】
［二酸化炭素吸収量取得処理］
重量取得部１０５は、日ごとに、日没後の遅い時刻に（夕方から夜までの期間における所定時刻に）おいて、図６に示す二酸化炭素吸収量取得処理を開始する。重量取得部１０５は、二酸化炭素吸収量取得処理を開始すると、重量記憶部１０４が記憶する複数の時点において測定された合計重量の中から、二酸化炭素吸収量取得処理を開始した日の前日において、合計重量（植物の重量とホルダの重量との合計）が極大となる時点で測定された合計重量を取得する（ステップＳ２０）。次に、重量取得部１０５は、二酸化炭素吸収量取得処理を開始した日において、合計重量が極大となる時点で測定された合計重量を取得する（ステップＳ２１）。
なお、重量取得部１０５が二酸化炭素吸収量取得処理を日没後の遅い時刻に開始する理由は、二酸化炭素吸収量が極大となるのはおおよそ植物が光合成を終えた日没時点なので、日没後の遅い時刻でないとその日の二酸化炭素吸収量が極大となる時点を特定できないからである。
【００４８】
重量取得部１０５が合計重量を取得すると、二酸化炭素吸収量取得部１０６は、重量取得部１０５が取得した合計重量の差分に基づいて、二酸化炭素吸収量を取得する（ステップＳ２２）。具体的には、二酸化炭素吸収量取得部１０６は、重量取得部１０５が取得した合計重量の差分に１．６３を乗じた値を二酸化炭素吸収量として取得する。なお、重量取得部１０５が取得した合計重量はそれぞれ、植物が保有する水と水溶性肥料の重量とホルダの重量とを含んでいる。しかしながら、重量取得部１０５が取得した合計重量の差分は、ホルダの重量の差分を含まず、また、水及び水溶性肥料の重量の差分とホルダの重量の差分をほとんど含まないと推測できる。その理由を以下に説明する。
【００４９】
上述したように、植物は、水の吸収と放散、水溶性肥料の吸収と消費を１日周期で繰り返している。そのため、二酸化炭素吸収量取得処理が開始された日の前日における、合計重量が極大となる時点で植物が保有していた水及び水溶性肥料の重量と、二酸化炭素吸収量取得処理が開始された日における、合計重量が極大となる時点で植物が保有していた水及び水溶性肥料の重量と、はほぼ合致すると推測することができる。また、ホルダの重量は、時間経過とともに変動しない。そのため、二酸化炭素吸収量取得部１０６が、重量取得部１０５により取得された合計重量の差分をとった場合、ホルダの重量の差分はゼロであり、また、植物が保有していた水及び水溶性肥料の差分はほぼゼロであると見積もることができる。従って、重量取得部１０５が取得した合計重量の差分は、ホルダの重量の差分を含まず、また、水及び水溶性肥料の重量の差分をほとんど含まないと推測できる。
【００５０】
重量取得部１０５が取得した合計重量の差分は、ホルダの重量の差分を含まず、また、水及び水溶性肥料の重量の差分をほとんど含まないので、二酸化炭素吸収量取得処理が開始された日の前日において合計重量が極大となった時点から二酸化炭素吸収量取得処理が開始された日において合計重量が極大となった時点までに植物が生成したデンプン又はセルロースの重量に相当すると推測することができる。そのため、合計重量の差分に基づいて取得された二酸化炭素吸収量は、二酸化炭素吸収量取得処理が開始された日の前日において合計重量が極大となった時点から二酸化炭素吸収量取得処理が開始された日において合計重量が極大となった時点までの植物の二酸化炭素吸収量であると見積もることができる。
このように、二酸化炭素吸収量取得部１０６は、第１の時点（本実施形態においては二酸化炭素吸収量取得処理が開始された日の前日において合計重量が極大となった時点）で測定された植物の重量と第２の時点（本実施形態においては二酸化炭素吸収量取得処理が開始された日において合計重量が極大となった時点）で測定された植物の重量との差分に基づいて、第１の時点において植物が保有する水及び水溶性肥料の重量と第２の時点において植物が保有する水及び水溶性肥料の重量との差分を排除しながら、第１の時点から第２の時点までの植物の二酸化炭素吸収量を取得することができる。
【００５１】
次に、二酸化炭素吸収量取得部１０６は、取得した二酸化炭素吸収量を二酸化炭素吸収量記憶部１０７に記憶する（ステップＳ２３）。
【００５２】
表示部１０８は、二酸化炭素吸収量記憶部１０７が記憶する二酸化炭素吸収量を、１日あたりの二酸化炭素削減量の目標値と比較して表示装置５が備える画面に表示する（ステップＳ２４）。
以上により、二酸化炭素吸収量取得装置１００が実行する二酸化炭素吸収量取得処理は終了する。
【００５３】
以下、図４〜７を参照して、二酸化炭素吸収量取得処理の流れを具体的に説明する。なお、図４において、点Ａは、７月１日の１８時００分に測定された合計重量を示し、点Ｂは、７月２日の１８時１０分に測定された合計重量を示すものとする。また、点Ａが示す合計重量は、７月１日における複数の時点で測定された合計重量のうち、合計重量が極大となる時点で測定された合計重量であるとする。さらに、点Ｂが示す合計重量は、７月２日における複数の時点で測定された合計重量のうち、合計重量が極大となる時点で測定された合計重量であるとする。
【００５４】
ここで、重量取得部１０５は、７月２日の２０時００分に、二酸化炭素吸収量取得処理を開始したとする。この場合、重量取得部１０５は、７月１日における複数の時点で測定された合計重量の中から、合計重量が極大となる時点で測定された合計重量、即ち、点Ａが示す合計重量を取得する（ステップＳ２０）。次に、重量取得部１０５は、７月２日における複数の時点で測定された合計重量の中から、合計重量が極大となる時点で測定された合計重量、即ち、点Ｂが示す合計重量を取得する（ステップＳ２１）。
【００５５】
重量取得部１０５が合計重量を取得すると、二酸化炭素吸収量取得部１０６は、点Ａが示す合計重量と点Ｂが示す合計重量との差分（図４が示す差分ＡＢ）に、１．６３を乗じて、二酸化炭素吸収量を取得する（ステップＳ２２）。ここで、差分ＡＢが５．２８（ｇ）であるとすると、二酸化炭素吸収量は、５．２８（ｇ）に１．６３を乗じて得られた値である８．６０（ｇ）となる。従って、７月１日の１８時００分から７月２日の１８時１０分までの植物の二酸化炭素吸収量は、８．６０（ｇ）と見積もることができる。
【００５６】
二酸化炭素吸収量取得部１０６は、取得した二酸化炭素吸収量［８．６０（ｇ）］を二酸化炭素吸収量記憶部１０７に記憶する（ステップＳ２３）。
【００５７】
表示部１０８は、二酸化炭素吸収量記憶部１０７が記憶する二酸化炭素吸収量［８．６０（ｇ）］を、表示装置５が備える画面に、二酸化炭素削減量として表示する。具体的には、表示部１０８は、図７に示すように、表示装置５が備える画面に、「本日の二酸化炭素削減量：８．６０ｇ」と表示する。
また、表示部１０８は、二酸化炭素の１日あたりの削減目標値に対する削減達成度を、表示装置５が備える画面に表示する。削減達成度は、二酸化炭素の１日あたりの削減目標値に対する１日あたりの二酸化炭素吸収量の割合で表される。例えば、１日あたりの削減目標値が１１．３２（ｇ）であり、１日あたりの二酸化炭素吸収量が８．６０（ｇ）である場合、削減達成度は、７６％となる。従って、表示部１０８は、図７に示すように、表示装置５が備える画面に、「本日の削減目標値に対する削減達成度：７６％」と表示する。さらに、表示部１０８は、図７に示すように、削減達成度を視覚的に表すゲージ５１を、表示装置５が備える画面に表示する（ステップＳ２４）。ゲージ５１全体の横幅に対する黒塗りされた部分の横幅の割合は、二酸化炭素の１日あたりの削減目標値に対する１日あたりの二酸化炭素吸収の割合に相当する。図７に示すゲージ５１においては、ゲージ５１全体の横幅に対する黒塗りされた部分の割合は、二酸化炭素の１日あたりの削減目標値に対する削減達成度が７６％であることに対応して、約４分の３となっている。
【００５８】
以上説明したように、本実施形態に係る二酸化炭素吸収量取得装置１００は、二酸化炭素吸収量取得処理が開始された日において、合計重量（植物の重量とホルダの重量との合計）が極大となる時点で測定された合計重量と、その前日において、合計重量が極大となる時点で測定された合計重量と、を取得し、これらの合計重量の差分をとる。上述したように、二酸化炭素吸収量取得処理が開始された日において合計重量が極大となる時点における水及び水溶性肥料の重量と、その前日において合計重量が極大となる時点における水及び水溶性肥料の重量と、はほぼ合致すると見積もることができる。従って、合計重量の差分は、水及び水溶性肥料の重量の差分をほとんど含まないと推測することができる。そのため、合計重量の差分は、二酸化炭素吸収量取得処理が開始された日において合計重量が極大となる時点からその前日において合計重量が極大となる時点までに植物が生成したデンプン又はセルロースの重量に相当すると推測することができる。従って、二酸化炭素吸収量取得装置１００は、高精度の植物の二酸化炭素吸収量を取得できる。
【００５９】
また、密閉容器で囲われた植物の光合成部分近辺において二酸化炭素濃度を測定し、二酸化炭素濃度の変化度合から植物の二酸化炭素吸収量を算出する二酸化炭素吸収量算出方法が知られているが、本実施形態に係る二酸化炭素吸収量測定装置１００は、植物を密閉容器で囲わなくても、植物の二酸化炭素吸収量を取得できる。そのため、二酸化炭素吸収量取得装置１００は、植物の生育を阻害することなく、植物の二酸化炭素吸収量を取得できる。
【００６０】
また、上記説明したように、本実施形態に係る二酸化炭素吸収量取得装置１００は、二酸化炭素の１日あたりの削減目標値に対する削減達成度を、表示装置５が備える画面に表示する。これにより、ユーザは、二酸化炭素の削減目標値に対して、どれだけ二酸化炭素の削減を達成したかを知り、環境への貢献に対する満足感を得ることができる。
【００６１】
（変形例）
以上に本発明の実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【００６２】
例えば、上記実施形態では、重量取得部１０５は、二酸化炭素吸収量取得処理が開始された日において、合計重量（植物の重量とホルダの重量との合計）が極大となる時点で測定された合計重量と、その前日において、合計重量が極大となる時点で測定された合計重量と、を取得した。この場合、合計重量が極大となる時点で植物が保有する水と水溶性肥料の重量はおおよそ同じであるため、二酸化炭素吸収量取得部１０６は、合計重量の差分から高精度の二酸化吸収量を見積もることができた。しかし、合計重量が極大となる時点に限らず、合計重量の変化の度合が合致する時点であればどのような時点であっても、植物が保有する水と水溶性肥料の重量はおおよそ同じであると推測することができる。従って、本発明では、重量取得部１０５は、合計重量が極小となる時点で測定された合計重量をそれぞれ取得してもよいし、極大又は極小となる時点以外の時点であっても、変化の度合が合致する時点であれば、どのような時点で測定された合計重量をそれぞれ取得してもよい。
また、上述したように、植物は、水の吸収と放散、水溶性肥料の吸収と消費とを１日周期で繰り返している。そのため、互いに異なる日であっても同時刻であれば、植物が保有する水と水溶性肥料の重量はおおよそ同じであると推測することができる。従って、本発明では、重量取得部１０５は、二酸化炭素吸収量取得処理が開始された日とその前日とにおいて同時刻で測定された合計重量をそれぞれ取得してもよい。この場合、上記実施形態のように、複数の時点で測定された合計重量を比較して、合計重量の変化の度合が合致する時点（例えば合計重量が極大又は極小となる時点）を特定する必要がない。そのため、より簡単に、植物の二酸化炭素吸収量を取得することができる。
【００６３】
また、上記実施形態では、二酸化炭素吸収量取得部１０６は、１日あたりの二酸化炭素吸収量を取得した。しかし、本発明では、二酸化炭素吸収量取得部１０６は、１日を超える期間における二酸化炭素吸収量を取得しても構わない。例えば、重量取得部１０５は、図８に示すように、７月６日において合計重量が極大となる時点で測定された合計重量（点Ｃが示す合計重量）と、７月１日において合計重量が極大となる時点で測定された合計重量（点Ａが示す合計重量）と、を取得する。次に、二酸化炭素吸収量取得部１０６は、点Ａが示す合計重量と点Ｃが示す合計重量との差分（図８に示す差分ＡＣ）に基づいて、７月１日から７月６日までの期間における植物の二酸化炭素吸収量を取得する。このようにして、二酸化炭素吸収量取得部１０６は、５日あたりの二酸化炭素吸収量を取得してもよい。また、二酸化炭素吸収量取得部１０６は、１月あたりの二酸化炭素吸収量を取得してもよいし、１年あたりの二酸化炭素吸収量を取得してもよい。
【００６４】
また、本発明では、二酸化炭素吸収量取得部１０６は、ユーザが指定した期間における二酸化炭素吸収量を取得してもよい。この場合、重量取得部１０５は、入力装置７を介してユーザが指定した期間に係る期間開始日において合計重量が極大となる時点で測定された合計重量と、期間終了日において合計重量が極大となる時点で測定された合計重量と、を取得する。二酸化炭素吸収量取得部１０６は、これらの合計重量の差分に基づいて、ユーザが指定した期間における二酸化炭素吸収量を取得する。
【００６５】
なお、本発明に係る機能を実現するための構成を予め備えた二酸化炭素吸収量取得装置として提供できることはもとより、プログラムの適用により、既存のパーソナルコンピュータや情報端末機器等を、本発明に係る二酸化炭素吸収量取得装置として機能させることもできる。すなわち、上記実施形態で例示した二酸化炭素吸収量取得装置１００による各機能構成を実現させるためのプログラムを、既存のパーソナルコンピュータや情報端末機器等を制御するＣＰＵ等が実行できるように適用することで、本発明に係る二酸化炭素吸収量取得装置として機能させることができる。また、本発明に係る二酸化炭素吸収量取得方法は、二酸化炭素吸収量取得装置を用いて実施できる。
【００６６】
また、このようなプログラムの適用方法は任意である。プログラムを、例えば、コンピュータが読取可能な記録媒体（ＣＤ−ＲＯＭ（Compact Disc Read-Only Memory）、ＤＶＤ（Digital Versatile Disc）、ＭＯ（Magneto Optical disc）等）に格納して適用できる他、インターネット等のネットワーク上のストレージにプログラムを格納しておき、これをダウンロードさせることにより適用することもできる。
【００６７】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【００６８】
（付記１）
第１の時点と第２の時点とでそれぞれ測定された植物の重量を、二酸化炭素吸収量を取得するための重量として取得する重量取得部と、
前記重量取得部が取得した前記第１の時点で測定された重量と前記第２の時点で測定された重量との差分に基づいて、前記第１の時点から前記第２の時点までの植物の二酸化炭素吸収量を取得する二酸化炭素吸収量取得部と、
を備える二酸化炭素吸収量取得装置。
【００６９】
（付記２）
複数の日に亘る期間内の複数の時点における植物の重量を測定する重量測定部を備え、
前記重量取得部は、前記重量測定部が前記複数の時点において測定した重量の中から、第１の日における前記第１の時点と、前記第１の日より後日の第２の日における前記第２の時点と、でそれぞれ測定された重量を、二酸化炭素吸収量を取得するための重量として取得し、
前記二酸化炭素吸収量取得部は、前記重量取得部が取得した前記第１の時点で測定された重量と前記第２の時点で測定された重量との差分に基づいて、前記第１の日から前記第２の日までの植物の二酸化炭素吸収量を取得する、
付記１に記載の二酸化炭素吸収量取得装置。
【００７０】
（付記３）
前記重量取得部は、前記重量測定部が前記複数の時点において測定した重量の中から、前記第１の日と前記第２の日とにおいて重量の変化の度合が合致する時点で測定された重量を、それぞれ前記第１の時点と前記第２の時点とで測定された植物の重量として取得する、
付記２に記載の二酸化炭素吸収量取得装置。
【００７１】
（付記４）
前記重量取得部は、前記重量測定部が前記複数の時点において測定した重量の中から、前記第１の日において重量が極大となる時点で測定された重量と、前記第２の日において重量が極大となる時点で測定された重量とを、それぞれ前記第１の時点と前記第２の時点とで測定された植物の重量として取得する、
付記３に記載の二酸化炭素吸収量取得装置。
【００７２】
（付記５）
前記重量取得部は、前記重量測定部が前記複数の時点において測定した重量の中から、前記第１の日と前記第２の日とにおいて同時刻で測定された重量を、それぞれ前記第１の時点と前記第２の時点とで測定された植物の重量として取得する、
付記２に記載の二酸化炭素吸収量取得装置。
【００７３】
（付記６）
前記二酸化炭素吸収量取得部が取得した二酸化炭素吸収量を、二酸化炭素の削減量の目標値と比較して表示する表示部、
を備える付記１乃至５のいずれか１つに記載の二酸化炭素吸収量取得装置。
【００７４】
（付記７）
第１の時点と第２の時点とでそれぞれ測定された植物の重量を、二酸化炭素吸収量を取得するための重量として取得し、
前記第１の時点で測定された植物の重量と前記第２の時点で測定された植物の重量との差分に基づいて、植物によるデンプン又はセルロースの生成重量を算出し、
前記デンプン又はセルロースの生成重量に基づいて、前記第１の時点から前記第２の時点までの植物の二酸化炭素吸収量を取得する、
二酸化炭素吸収量取得方法。
【００７５】
（付記８）
第１の時点と第２の時点とでそれぞれ測定された植物の重量を、二酸化炭素吸収量を取得するための重量として取得し、
前記第１の時点で測定された植物の重量と前記第２の時点で測定された植物の重量との差分に基づいて、前記第１の時点において前記植物が保有する水及び水溶性肥料の重量と前記第２の時点において前記植物が保有する水及び水溶性肥料の重量との差分を排除しながら、前記第１の時点から前記第２の時点までの植物の二酸化炭素吸収量を取得する、
二酸化炭素吸収量取得方法。
【００７６】
（付記９）
複数の日に亘る期間内の複数の時点における植物の重量を測定し、
前記複数の時点において測定した重量の中から、第１の時点と第２の時点とでそれぞれ測定された重量を、二酸化炭素吸収量を取得するための重量として取得し、
前記第１の時点で測定された重量と前記第２の時点で測定された重量との差分に基づいて、前記第１の時点から前記第２の時点までの植物の二酸化炭素吸収量を取得する、
二酸化炭素吸収量取得方法。
【００７７】
（付記１０）
コンピュータに、
第１の時点と第２の時点とでそれぞれ測定された植物の重量を、二酸化炭素吸収量を取得するための重量として取得させ、
前記第１の時点で測定された重量と前記第２の時点で測定された重量との差分に基づいて、前記第１の時点から前記第２の時点までの植物の二酸化炭素吸収量を取得させる、
プログラム。
【符号の説明】
【００７８】
１…ＲＯＭ、２…ＲＡＭ、３…外部記憶装置、４…重量計、５…表示装置、６…ＲＴＣ、７…入力装置、８…ＣＰＵ、５１…ゲージ、１００…二酸化炭素吸収量取得装置、１０１…入力部、１０２…計時部、１０３…重量測定部、１０４…重量記憶部、１０５…重量取得部、１０６…二酸化炭素吸収量取得部、１０７…二酸化炭素吸収量記憶部、１０８…表示部
【図１】
2016029918.tif 000003
【図２】
2016029918.tif 000004
【図３】
2016029918.tif 000005
【図４】
2016029918.tif 000006
【図５】
2016029918.tif 000007
【図６】
2016029918.tif 000008
【図７】
2016029918.tif 000009
【図８】
2016029918.tif 000010